【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
動画ファイルを記録媒体に記録する記録手段と、
前記記録手段による記録動作に伴って、前記動画ファイルを収容するためのフォルダを含む複数階層からなる第１の管理構造にて複数の前記動画ファイルを管理するための第１の管理ファイルを生成する第１の管理ファイル生成手段と、
前記第１の管理構造に基づいて、複数の前記動画ファイルを一つの階層からなる第２の管理構造にて管理するための第２の管理ファイルを生成する第２の管理ファイル生成手段とを備え、
前記第２の管理ファイル生成手段は、前記第１の管理構造におけるフォルダに格納された複数の動画ファイルをフォルダ毎に結合して一つの動画とし、前記結合された動画における複数の前記動画ファイルの境界をサーチの単位とするように、前記第２の管理ファイルを生成することを特徴とする情報処理装置。
【請求項２】
前記第２の管理ファイルに基づいて、前記第２の管理構造による前記動画ファイルの情報を表示する表示手段を備えることを特徴とする請求項１に記載の情報処理装置。
【請求項３】
前記第２の管理ファイル生成手段は、前記第１の管理構造におけるルートフォルダの直下の階層である第１のフォルダ内に、さらに下位階層である第２のフォルダが存在する場合、前記第１のフォルダ内に存在しているフォルダ以外の複数の動画ファイルを結合して第１の動画とし、さらに前記第２のフォルダ内に存在している複数の動画ファイルを結合して前記第１の動画とは別の第２の動画とするように、前記第２の管理ファイルを生成することを特徴とする請求項１に記載の情報処理装置。
【請求項４】
動画ファイルを記録媒体に記録する記録手段と、
前記記録手段による記録動作に伴って、前記動画ファイルを収容するためのフォルダを含む複数階層からなる第１の管理構造にて複数の前記動画ファイルを管理するための第１の管理ファイルを生成する第１の管理ファイル生成手段と、
前記第１の管理構造に基づいて、複数の前記動画ファイルを一つの階層からなる第２の管理構造にて管理するための第２の管理ファイルを生成する第２の管理ファイル生成手段とを備え、
前記第２の管理ファイル生成手段は、前記第１の管理構造におけるフォルダに関わらず前記第１の管理構造により管理される複数の動画ファイルを一つの動画として結合し、前記結合された動画における複数の前記動画ファイルの境界をサーチの単位とするように、前記第２の管理ファイルを生成することを特徴とする情報処理装置。
【請求項５】
前記第２の管理ファイル生成手段は、前記動画ファイルの生成時刻順に前記動画ファイルが再生されるように、前記第２の管理ファイルを生成することを特徴とする請求項４に記載の情報処理装置。
【請求項６】
前記記録手段は、前記第１の管理ファイル及び第２の管理ファイルを前記記録媒体に記録することを特徴とする請求項１から５の何れか１項に記載の情報処理装置。
【請求項７】
前記第２の管理構造に応じた規格の他の記録媒体に記録すべく前記記録媒体に記録された複数の動画ファイルを外部装置に送信する送信手段を更に具備することを特徴とする請求項１から６の何れか１項に記載の情報処理装置。
【請求項８】
動画ファイルを記録媒体に記録する記録動作に伴って、前記動画ファイルを収容するためのフォルダを含む複数階層からなる第１の管理構造にて複数の前記動画ファイルを管理するための第１の管理ファイルを生成する第１の管理ファイル生成工程と、
前記第１の管理構造に基づいて、複数の前記動画ファイルを一つの階層からなる第２の管理構造にて管理するための第２の管理ファイルを生成する第２の管理ファイル生成工程とを備え、
前記第１の管理構造におけるフォルダに格納された複数の動画ファイルをフォルダ毎に結合して一つの動画とし、前記結合された動画における複数の動画ファイルの境界をサーチの単位とするように、前記第２の管理ファイルを生成することを特徴とする情報処理方法。
【請求項９】
動画ファイルを記録媒体に記録する記録動作に伴って、前記動画ファイルを収容するためのフォルダを含む複数階層からなる第１の管理構造にて複数の前記動画ファイルを管理するための第１の管理ファイルを生成する第１の管理ファイル生成工程と、
前記第１の管理構造に基づいて、複数の前記動画ファイルを一つの階層からなる第２の管理構造にて管理するための第２の管理ファイルを生成する第２の管理ファイル生成工程とを備え、
前記第１の管理構造におけるフォルダに関わらず前記第１の管理構造により管理される複数の動画ファイルを一つの動画として結合し、前記結合された動画における複数の動画ファイルの境界をサーチの単位とするように、前記第２の管理ファイルを生成することを特徴とする情報処理方法。
【請求項１０】
請求項８または９に記載の情報処理方法をコンピュータに実行させるためのプログラム。
【請求項１１】
請求項１０に記載のプログラムを記憶したコンピュータ読取可能な記憶媒体。
【手続補正２】
【補正対象書類名】明細書
【補正対象項目名】０００７
【補正方法】変更
【補正の内容】
【０００７】
上述した課題を解決し、目的を達成するために、本発明に係わる情報処理装置は、動画ファイルを記録媒体に記録する記録手段と、前記記録手段による記録動作に伴って、前記動画ファイルを収容するためのフォルダを含む複数階層からなる第１の管理構造にて複数の前記動画ファイルを管理するための第１の管理ファイルを生成する第１の管理ファイル生成手段と、前記第１の管理構造に基づいて、複数の前記動画ファイルを一つの階層からなる第２の管理構造にて管理するための第２の管理ファイルを生成する第２の管理ファイル生成手段とを備え、前記第２の管理ファイル生成手段は、前記第１の管理構造におけるフォルダに格納された複数の動画ファイルをフォルダ毎に結合して一つの動画とし、前記結合された動画における複数の前記動画ファイルの境界をサーチの単位とするように、前記第２の管理ファイルを生成することを特徴とする。
【手続補正３】
【補正対象書類名】明細書
【補正対象項目名】０００８
【補正方法】変更
【補正の内容】
【０００８】
また、本発明に係わる情報処理装置は、動画ファイルを記録媒体に記録する記録手段と、前記記録手段による記録動作に伴って、前記動画ファイルを収容するためのフォルダを含む複数階層からなる第１の管理構造にて複数の前記動画ファイルを管理するための第１の管理ファイルを生成する第１の管理ファイル生成手段と、前記第１の管理構造に基づいて、複数の前記動画ファイルを一つの階層からなる第２の管理構造にて管理するための第２の管理ファイルを生成する第２の管理ファイル生成手段とを備え、前記第２の管理ファイル生成手段は、前記第１の管理構造におけるフォルダに関わらず前記第１の管理構造により管理される複数の動画ファイルを一つの動画として結合し、前記結合された動画における複数の前記動画ファイルの境界をサーチの単位とするように、前記第２の管理ファイルを生成することを特徴とする。
【手続補正４】
【補正対象書類名】明細書
【補正対象項目名】０００９
【補正方法】変更
【補正の内容】
【０００９】
また、本発明に係わる情報処理方法は、動画ファイルを記録媒体に記録する記録動作に伴って、前記動画ファイルを収容するためのフォルダを含む複数階層からなる第１の管理構造にて複数の前記動画ファイルを管理するための第１の管理ファイルを生成する第１の管理ファイル生成工程と、前記第１の管理構造に基づいて、複数の前記動画ファイルを一つの階層からなる第２の管理構造にて管理するための第２の管理ファイルを生成する第２の管理ファイル生成工程とを備え、前記第１の管理構造におけるフォルダに格納された複数の動画ファイルをフォルダ毎に結合して一つの動画とし、前記結合された動画における複数の動画ファイルの境界をサーチの単位とするように、前記第２の管理ファイルを生成することを特徴とする。
【手続補正５】
【補正対象書類名】明細書
【補正対象項目名】００１０
【補正方法】変更
【補正の内容】
【００１０】
また、本発明に係わる情報処理方法は、動画ファイルを記録媒体に記録する記録動作に伴って、前記動画ファイルを収容するためのフォルダを含む複数階層からなる第１の管理構造にて複数の前記動画ファイルを管理するための第１の管理ファイルを生成する第１の管理ファイル生成工程と、前記第１の管理構造に基づいて、複数の前記動画ファイルを一つの階層からなる第２の管理構造にて管理するための第２の管理ファイルを生成する第２の管理ファイル生成工程とを備え、前記第１の管理構造におけるフォルダに関わらず前記第１の管理構造により管理される複数の動画ファイルを一つの動画として結合し、前記結合された動画における複数の動画ファイルの境界をサーチの単位とするように、前記第２の管理ファイルを生成することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１９
【補正方法】削除
【補正の内容】